(57)【要約】【課題】手描きの絵を用いたオリジナルの絵本を作製する。【解決手段】絵本作製システムは、絵本の背景画像、及びキャラクター等をユーザが手描きする際に使用するフォーマットを表すフォーマットデータを格納する記憶部と、前記フォーマットに描かれた前記キャラクター等に対応する絵を手描き画像として取得する手描き画像取得部と、前記手描き画像を、前記背景画像に合成し、絵本データを生成する合成部と、を備える。前記フォーマットは、キャラクター等の絵を描く描画領域、及び前記描画領域の外側に位置する紙色抽出領域を含む。前記手描き画像取得部は、前記描画領域に絵が描かれたフォーマットを撮影又はスキャンした画像から、前記描画領域の部分及び前記紙色抽出領域の部分を抽出し、抽出した前記描画領域のうち、抽出した前記紙色抽出領域と同じ色の部分を透明化又は白色化して、前記手描き画像を取得する。【選択図】図１
2022001981.tif 000002
【特許請求の範囲】
【請求項１】
絵本の背景画像、キャラクター又は物品の前記背景画像内での位置を示す位置情報、及び前記キャラクター又は物品をユーザが手描きする際に使用するフォーマットを表すフォーマットデータを格納する記憶部と、
前記フォーマットデータを外部機器へ送信するフォーマット送信部と、
前記フォーマットに描かれた前記キャラクター又は物品に対応する絵を手描き画像として取得する手描き画像取得部と、
前記手描き画像を、前記背景画像の前記位置情報に基づく位置に合成し、絵本データを生成する合成部と、
を備え、
前記フォーマットは、キャラクター又は物品の絵を描く描画領域、及び前記描画領域の外側に位置する紙色抽出領域を含み、
前記手描き画像取得部は、前記描画領域に絵が描かれたフォーマットを撮影又はスキャンした画像から、前記描画領域の部分及び前記紙色抽出領域の部分を抽出し、抽出した前記描画領域のうち、抽出した前記紙色抽出領域と同じ色の部分を透明化又は白色化して、前記手描き画像を取得することを特徴とする絵本作製システム。
【請求項２】
前記手描き画像取得部は、前記描画領域のうちＬ＊値が前記紙色抽出領域のＬ＊値以上となる部分を、前記紙色抽出領域と同じ色と判定することを特徴とする請求項１に記載の絵本作製システム。
【請求項３】
前記手描き画像取得部は、前記描画領域のうち前記紙色抽出領域との色差ΔＥ＊が所定値以下となる部分を、前記紙色抽出領域と同じ色と判定することを特徴とする請求項１に記載の絵本作製システム。
【請求項４】
前記フォーマットは位置合わせマークを含み、
前記手描き画像取得部は、前記描画領域に絵が描かれたフォーマットを撮影又はスキャンした画像から、前記位置合わせマークの座標に基づいて、前記描画領域の部分及び前記紙色抽出領域の部分を抽出することを特徴とする請求項１乃至３のいずれかに記載の絵本作製システム。
【請求項５】
絵本の背景画像、キャラクター又は物品の前記背景画像内での位置を示す位置情報、及び前記キャラクター又は物品をユーザが手描きする際に使用するフォーマットを表すフォーマットデータを格納する記憶部を備えた絵本編集装置を用いて絵本を製造する方法であって、
前記フォーマットデータを外部機器へ送信する工程と、
前記フォーマットに描かれた前記キャラクター又は物品に対応する絵を手描き画像として取得する工程と、
前記手描き画像を、前記背景画像の前記位置情報に基づく位置に合成し、合成画像を生成する工程と、
前記合成画像を用紙に印刷する工程と、
前記合成画像が印刷された用紙を綴じて製本する工程と、
を備え、
前記フォーマットは、キャラクター又は物品の絵を描く描画領域、及び前記描画領域の外側に位置する紙色抽出領域を含み、
前記描画領域に絵が描かれたフォーマットを撮影又はスキャンした画像から、前記描画領域の部分及び前記紙色抽出領域の部分を抽出し、抽出した前記描画領域のうち、抽出した前記紙色抽出領域と同じ色の部分を透明化又は白色化して、前記手描き画像を取得することを特徴とする絵本の製造方法。
【発明の詳細な説明】
【技術分野】
【０００１】
本発明は、絵本作製システム及び絵本の製造方法に関する。
【背景技術】
【０００２】
デジタルカメラやスマートフォン等で撮影した画像を、ネットワーク上にアップロードして保存することが行われている。また、アップロードした画像をプリントして、フォトブックやポスター等の印画物を作製するサービスが知られている。また、近年、アップロードした画像を用いてオリジナルの絵本を作製するサービスが注目されている。
【０００３】
例えば、特許文献１には、絵本風のテンプレートを用意し、絵本の世界観に合わせたレイアウトで絵本風のフォトブックを作製する手法が開示されている。また、特許文献２には、顔写真画像を絵画調に画像変換し、変換後の顔画像を絵本の登場人物の顔に嵌め込んで絵本を作製する手法が開示されている。
【０００４】
このように、従来は、人物を撮影した画像をテンプレートの所定領域に嵌め込んで絵本を作製していた。しかし、ユーザの手描きの絵を用いた絵本の作製は行われていなかった。例えば、子供が描いた絵は、想像力が豊かであり、後で見たときにも楽しめるため、保存を望むことが多い。しかし、単に画用紙等に描いた絵は、劣化しやすく、保存が困難である。手描きの絵を取り込んで絵本の形にすることで、劣化を防止して長期間保存でき、また子供の成長の記録にもなる。そのため、手描きの絵を用いたオリジナル絵本の作製サービスが望まれている。
【先行技術文献】
【特許文献】
【０００５】
【特許文献１】特許第６４０２５１５号公報
【特許文献２】実用新案登録第３１７６４８０号公報
【発明の概要】
【発明が解決しようとする課題】
【０００６】
本発明は、手描きの絵を用いたオリジナルの絵本を作製できる絵本作製システム及び絵本の製造方法を提供することを課題とする。
【課題を解決するための手段】
【０００７】
本発明の絵本作製システムは絵本の背景画像、キャラクター又は物品の前記背景画像内での位置を示す位置情報、及び前記キャラクター又は物品をユーザが手描きする際に使用するフォーマットを表すフォーマットデータを格納する記憶部と、前記フォーマットデータを外部機器へ送信するフォーマット送信部と、前記フォーマットに描かれた前記キャラクター又は物品に対応する絵を手描き画像として取得する手描き画像取得部と、前記手描き画像を、前記背景画像の前記位置情報に基づく位置に合成し、絵本データを生成する合成部と、を備え、前記フォーマットは、キャラクター又は物品の絵を描く描画領域、及び前記描画領域の外側に位置する紙色抽出領域を含み、前記手描き画像取得部は、前記描画領域に絵が描かれたフォーマットを撮影又はスキャンした画像から、前記描画領域の部分及び前記紙色抽出領域の部分を抽出し、抽出した前記描画領域のうち、抽出した前記紙色抽出領域と同じ色の部分を透明化又は白色化して、前記手描き画像を取得するものである。
【０００８】
本発明の絵本の製造方法は、絵本の背景画像、キャラクター又は物品の前記背景画像内での位置を示す位置情報、及び前記キャラクター又は物品をユーザが手描きする際に使用するフォーマットを表すフォーマットデータを格納する記憶部を備えた絵本編集装置を用いて絵本を製造する方法であって、前記フォーマットデータを外部機器へ送信する工程と、前記フォーマットに描かれた前記キャラクター又は物品に対応する絵を手描き画像として取得する工程と、前記手描き画像を、前記背景画像の前記位置情報に基づく位置に合成し、合成画像を生成する工程と、前記合成画像を用紙に印刷する工程と、前記合成画像が印刷された用紙を綴じて製本する工程と、を備え、前記フォーマットは、キャラクター又は物品の絵を描く描画領域、及び前記描画領域の外側に位置する紙色抽出領域を含み、前記描画領域に絵が描かれたフォーマットを撮影又はスキャンした画像から、前記描画領域の部分及び前記紙色抽出領域の部分を抽出し、抽出した前記描画領域のうち、抽出した前記紙色抽出領域と同じ色の部分を透明化又は白色化して、前記手描き画像を取得するものである。
【発明の効果】
【０００９】
本発明によれば、手描きの絵を用いたオリジナルの絵本を作製できる。
【図面の簡単な説明】
【００１０】
【図１】本発明の実施形態に係る絵本作製システムの概略図である。
【図２】作品選択画面の例を示す図である。
【図３】作品検索画面の例を示す図である。
【図４】フォーマットダウンロード画面の例を示す図である。
【図５】お絵描きフォーマットの例を示す図である。
【図６】画像登録画面の例を示す図である。
【図７】画像登録画面の例を示す図である。
【図８】背景画像の例を示す図である。
【図９】紙色抽出処理を説明する図である。
【図１０】手描き画像の合成例を示す図である。
【図１１】絵本編集装置の構成及び機能ブロックを示す図である。
【図１２】同実施形態に係る絵本製造方法を説明するフローチャートである。
【発明を実施するための形態】
【００１１】
以下、図面を参照して実施の形態について説明する。
【００１２】
図１に示すように、本発明の実施形態に係る絵本作製システムは、絵本編集装置１と、工場３に設置されたプリンタ及び製本機（図示略）とを備え、絵本のテンプレートとユーザの手描きの絵とを組み合わせて絵本を作製するものである。絵本編集装置１は、インターネット等の通信ネットワークを介して、ユーザ端末２と通信可能となっている。
【００１３】
ユーザ端末２は、スマートフォン、タブレット端末、ＰＣ等である。ユーザＵは、ユーザ端末２を操作して絵本編集装置１が提供するウェブサイトにアクセスし、複数の絵本作品の中から、気に入った絵本作品を選択する。例えば、図２に示すような作品選択画面がユーザ端末２に表示される。各絵本作品には、手描きの絵を使用可能なキャラクターや物品が設定されている。キャラクターは、人物や動物等である。物品は、食べ物や乗り物等である。例えば、図２に示すように、「お姫様と不思議なシチュー」という作品では、お姫様、魔法使い、大鍋のシチューについて、手描きの絵が使用できるようになっている。
【００１４】
作品選択画面で詳細確認ボタンＢ２を押すと、作品の中身のページのイメージや、詳細なストーリーが確認できる詳細確認画面が表示される。ユーザＵは、気に入った作品に必要な絵を確認する。
【００１５】
子供Ｃがよく描く絵から、絵本作品を選択できるようにしてもよい。例えば、図３に示すような作品検索画面で子供Ｃが描く絵の種別を選択し、検索ボタンＢ３を押す。絵本編集装置１は、選択された種別の手描き絵が使用可能な絵本作品を検索し、検索結果をユーザ端末２へ送信する。これにより、子供が描きたい絵に沿った絵本作品を簡単に見つけることができる。
【００１６】
図２に示す作品選択画面でユーザＵが注文ボタンＢ１を押すと、ユーザ端末２には、図４に示すような、お絵描きフォーマットのデータをダウンロードするダウンロード画面が表示される。ユーザＵがダウンロードボタンＢ４を押すと、ユーザ端末２は、絵本編集装置１からフォーマットデータをダウンロードする。ユーザＵは、フォーマットデータをダウンロードするとプリンタ（図示略）でお絵描きフォーマットをプリント出力する。
【００１７】
例えば、フォーマットデータに基づいて、図５に示すようなお絵描きフォーマット５がプリント出力される。お絵描きフォーマット５は、絵を描く描画領域５１、描く絵を説明する説明文５２、何の絵を描くフォーマットか識別する識別情報を示す二次元コード５３、及び注文ＩＤ記入欄５４を含む。例えば、識別情報及び注文ＩＤは、複数桁の英数字からなる。二次元コード５３は、識別情報と注文ＩＤとを組み合わせた（連結した）英数字をコード化したものであってもよい。
【００１８】
お絵描きフォーマット５は、描画領域５１を判別するための位置合わせマーク５５を含んでもよい。例えば、位置合わせマーク５５は、矩形のお絵描きフォーマット５の４隅のうち３箇所に設けられている。
【００１９】
お絵描きフォーマット５は、後述する紙色抽出処理で使用する紙色抽出領域５６を含む。紙色抽出領域５６は、描画領域５１の外側に設けられる。詳細は後述するが、紙色抽出処理は、お絵描きフォーマット５の紙の色（お絵描きフォーマット５のプリント出力に使用された用紙の地の色）を抽出する処理である。この紙色抽出領域５６に何も書かないように注意する文章が記載されていることが好ましい。
【００２０】
フォーマットデータは、必要な絵の数のお絵描きフォーマットを含む。例えば、「お姫様と不思議なシチュー」という作品では、お姫様、魔法使い、及び大鍋のシチューのそれぞれについてのお絵描きフォーマットがある。
【００２１】
ユーザＵは、お絵描きフォーマット５の描画領域５１に絵を描くよう子供Ｃを促す。子供Ｃは、描画領域５１に、色鉛筆、絵の具、クレヨン等で絵を描く。
【００２２】
子供Ｃがお絵描きフォーマット５に絵を描いたら、ユーザＵは注文ＩＤ記入欄５４に注文ＩＤを記入し、手描き絵をアップロードする。図４のダウンロード画面でボタンＢ５を押すと、図６に示すような画像登録画面に遷移する。画像登録画面のアップロードボタンＢ６を押すと、ユーザ端末２の内蔵カメラが起動する。お絵描きフォーマット５全体をユーザ端末２のカメラで撮影すると、ユーザ端末２は、撮影画像を絵本編集装置１へ送信する。お絵描きフォーマット５をユーザ端末２のカメラで予め撮影しておき、アップロードボタンＢ６を押した後、ユーザ端末２に保存されている撮影画像を選択して絵本編集装置１へアップロードしてもよい。
【００２３】
ユーザＵは、お絵描きフォーマット５を１枚ずつ撮影し、撮影画像をアップロードする。絵本編集装置１は、撮影画像を受信すると、撮影画像内の二次元コード５３から識別情報を取得し、描画領域５１に何の絵が描かれているかを判断する。絵本編集装置１は、手描き絵がアップロードされた絵について、図７に示すように、ステータスを“未登録”から“登録済み”に更新する。
【００２４】
１つの絵本作品に、使用可能な手描き絵としてキャラクターや物品（以下、「キャラクター等」と記載することがある。）が複数種設定されている場合、子供Ｃがいくつかの種類の絵を描かない（描けない）ことが想定される。絵本編集装置１は、手描きの絵を使用可能なキャラクター等について、基準画像（デフォルト画像）を準備しており、ユーザＵは、子供Ｃが絵を描かないキャラクター等についてはデフォルト画像を使用できる。例えば、図７に示すように、チェックボックスＢ７にチェックを入れることで、デフォルト画像を使用できる。デフォルト画像は、例えばプロ作家が描いた絵である。
【００２５】
手描き絵をアップロードしたか、又はデフォルト画像の使用を選択したキャラクター等は、ステータスが“登録済み”となる。全てのキャラクター等について“登録済み”となると、確定ボタンＢ８が活性化する。確定ボタンＢ８を押すと、ユーザは、発注する絵本の冊数を選択し、料金の支払い方法を選択し、配送先住所などを登録して、絵本の注文を完了する。
【００２６】
絵本編集装置１は、ユーザＵが選択した絵本作品のテンプレートデータと、ユーザ端末２から受信した手描き絵とを用いて絵本データを生成する。テンプレートデータは、背景画像、キャラクター等の位置情報及びデフォルト画像を含む。
【００２７】
例えば、位置情報は、図８に示すように、背景画像ＢＧに合成するキャラクター等の識別情報と、そのキャラクター等の合成位置Ｐとを含む。
【００２８】
絵本編集装置１は、ユーザ端末２から受信した撮影画像から手描き絵の部分を抽出する。例えば、撮影画像をトリミングして描画領域５１を抽出する。位置合わせマーク５５がある場合は、テンプレートマッチングにより位置合わせマーク５５を検知して座標を取得する。そして、取得した座標に基づいて描画領域５１の回転、ゆがみ、拡大縮小などを調整する。
【００２９】
また、絵本編集装置１は、撮影画像の紙色抽出領域５６の部分を抽出し、紙色抽出領域５６における色をお絵描きフォーマット５の紙の色として抽出する。位置合わせマーク５５がある場合は、位置合わせマーク５５の座標に基づいて、紙色抽出領域５６の位置を特定してもよい。
【００３０】
そして、絵本編集装置１は、描画領域５１のうち、抽出した紙の色と同じ色（対応する色）の部分を透明化する。背景画像における合成位置Ｐ及びその周囲が白色である場合は、描画領域５１のうち、抽出した紙の色と同じ色の部分を白色にしてもよい。白色部分は、工場３での印刷時にインクをのせない部分である。
【００３１】
例えば、お絵描きフォーマット５に使用される用紙は一般に白色であるという特徴を利用し、撮影画像の紙色抽出領域５６について、Ｌ＊ａ＊ｂ＊色空間のＬ＊値（明度）を検出する。紙色抽出領域５６の１箇所のＬ＊値を検出してもよいし、複数箇所のＬ＊値を検出し、その平均値を求めてもよい。１箇所のＬ＊値又は複数箇所のＬ＊値の平均値を閾値とし、撮影画像の描画領域５１内の全ての画素のＬ＊値を検出し、Ｌ＊値が閾値以上となる画素を、同じ色と判定する。例えば、図９に示すように、Ｌ＊値が閾値以上の領域Ｒ１と、Ｌ＊値が閾値未満の領域Ｒ２に分けることができる。領域Ｒ１が紙色抽出領域５６と同じ色の部分、領域Ｒ２がユーザによる手描き絵の部分となる。
【００３２】
このようにして、描画領域５１のうち、紙色抽出領域５６と同じ色の部分、すなわちユーザが何も描いていない部分を抽出し、透明化又は白色化できる。
【００３３】
描画領域５１のうち、紙色抽出領域５６との色差ΔＥ＊が所定の閾値以下となる画素を同じ色と判定してもよい。このときの閾値は、人間が色の違いを認識できない範囲の値とする。色差ΔＥ＊を用いる手法でも、描画領域５１のうち、紙色抽出領域５６と同じ色の部分、すなわちユーザが何も描いていない部分を抽出し、透明化又は白色化できる。
【００３４】
このように、本実施形態では、描画領域５１のうち、Ｌ＊値が紙色抽出領域５６のＬ＊値以上となる部分、又は紙色抽出領域５６との色差ΔＥ＊が閾値以下となる部分を、紙色抽出領域５６と同じ色の部分として抽出する。
【００３５】
絵本編集装置１は、位置情報に基づいて、背景画像に対応するキャラクター等の手描き絵の画像（手描き画像）と、背景画像とを合成する。背景画像に合成する手描き画像は、撮影画像から描画領域５１を抽出し、抽出した描画領域５１のうち、紙色抽出領域５６と同じ色の部分を透明化又は白色化したものである。例えば、図１０に示すように、背景画像ＢＧの位置情報が示す位置に、対応するキャラクター等の手描き画像ＨＧが合成される。各手描き画像は、絵本内の１又は複数箇所に合成される。
【００３６】
図１０は、紙色抽出領域５６と同じ色の部分を透明化した手描き画像を合成した例を示している。
【００３７】
絵本編集装置１は、背景画像に手描き画像やデフォルト画像を合成した合成画像を含む絵本データを生成すると、絵本データ及び注文内容を工場３へ転送する。工場３に設置されたプリンタ及び製本機は、受信した絵本データ及び注文内容に基づいて印刷・製本処理を行い、絵本４を製造する。例えば、プリンタは、絵本データに含まれる合成画像を用紙に印刷する。製本機は、合成画像が印刷された用紙を綴じて製本し、絵本４を製造する。工場３で製造された絵本４は、ユーザＵの元へ配送される。
【００３８】
このように、本実施形態によれば、手描きの絵を用いたオリジナルの絵本を作製できる。また、ユーザＵ（子供Ｃ）側で絵を描かないキャラクター等についてはデフォルト画像を使用できるため、絵本注文の負荷を軽減できる。また、絵本編集装置１は、ユーザ端末２から受信した撮影画像内の二次元コード５３を読み取ることで、この撮影画像内の描画領域５１に何のキャラクター等の絵が描かれているか、容易に判別できる。
【００３９】
次に、絵本編集装置１の構成について説明する。絵本編集装置１は、作品選択画面を生成してユーザ端末２へ送信し、ユーザ端末２から絵本作品の選択を含むオリジナル絵本の注文を受け付け、ユーザ端末２から受信した手描き画像と、選択された絵本作品のテンプレートデータとを用いて絵本データを生成するものである。
【００４０】
図１１に示すように、絵本編集装置１は、制御部１０、記憶部１２、及び通信部１４を備えたサーバ装置である。制御部１０は、中央処理装置（ＣＰＵ）、ＲＯＭ、ＲＡＭ等からなり、サーバ装置の全体を制御する。制御部１０は、記憶部１２に記憶されているオペレーティングシステム（ＯＳ）やアプリケーションプログラムを読み出して実行することにより、各種機能を実現する。
【００４１】
記憶部１２は、制御部１０が各種の処理を実行するために必要なプログラムやデータ等を記憶するための記憶領域であり、ハードディスクや半導体メモリ等が用いられる。記憶部１２は、絵本作品のテンプレートデータを格納する。
【００４２】
テンプレートデータは、各絵本作品の背景画像、手描き画像が使用可能なキャラクター等の背景画像内での位置を示す位置情報、このキャラクター等のデフォルト画像、及びお絵描きフォーマットのフォーマットデータを含む。
【００４３】
制御部１０は、注文処理部１０１、検索処理部１０２、フォーマット送信部１０３、手描き画像取得部１０４、合成部１０５及び転送部１０６の機能を有する。
【００４４】
注文処理部１０１は、通信部１４を介して、ユーザ端末２から絵本作品の選択や、プリント冊数等の注文を受け付ける。注文処理部１０１が、絵本配送先の住所などを登録し、必要に応じて決済処理を行うと、絵本の注文が完了する。注文処理部１０１は、注文ＩＤを発行し、注文ＩＤや、絵本配送先の住所等のユーザ情報を含む注文情報を記憶部１２に格納する。
【００４５】
検索処理部１０２は、ユーザ端末２からの要求に応じて、図３に示すような検索画面を生成し、ユーザ端末２へ送信する。検索処理部１０２は、検索画面で選択された種別の手描き絵を使用する絵本作品を検索し、検索結果をユーザ端末２へ送信する。
【００４６】
フォーマット送信部１０３は、注文された絵本のお絵描きフォーマットのフォーマットデータをユーザ端末２へ送信する。お絵描きフォーマット内の二次元コードが、絵の識別情報及び注文ＩＤを示すものである場合、フォーマット送信部１０３が、識別情報及び注文ＩＤを組み合わせた英数字をコード化して二次元コードを生成し、お絵描きフォーマットに合成する。
【００４７】
手描き画像取得部１０４は、ユーザ端末２から手描き画像を取得する。例えば、手描き画像取得部１０４は、ユーザ端末２から、お絵描きフォーマット５をユーザ端末２の内蔵カメラ等で撮影した撮影画像を受信する。手描き画像取得部１０４は、撮影画像をトリミングして描画領域５１を抽出する。トリミングに際し、手描き画像取得部１０４は、撮影画像内の位置合わせマーク５５の座標に基づいて、描画領域５１の回転や歪みを補正し、拡大／縮小してサイズを調整する。
【００４８】
手描き画像取得１０４は、上述したように、Ｌ＊値（明度）又は色差ΔＥ＊を用いて、描画領域５１のうち、撮影画像内の紙色抽出領域５６と同じ色の部分を抽出し、透明化又は白色化して、手描き画像を取得（生成）する。
【００４９】
手描き画像取得部１０４は、撮影画像内の二次元コード５３（図５参照）から、何の絵かを識別する識別情報を取得する。また、手描き画像取得部１０４は、文字認識により、注文ＩＤ記入欄５４に記載された注文ＩＤを取得する。二次元コード５３が識別情報と注文ＩＤとを組み合わせたものである場合は、二次元コード５３から読み取った英数字を分離して、識別情報と注文ＩＤを取得する。
【００５０】
手描き画像取得部１０４は、手描き画像と識別情報とを紐付けて記憶部１２に格納する。例えば、記憶部１２内に注文ＩＤ毎の第１フォルダを生成し、第１フォルダ内に識別情報毎の第２フォルダを生成し、第２フォルダ内に手描き画像を格納する。
【００５１】
合成部１０５は、手描き画像を、背景画像の位置情報で示された位置に合成し、絵本データを生成する。
【００５２】
転送部１０６は、絵本データ及び注文情報を工場３へ転送する。
【００５３】
次に、図１２に示すフローチャートを用いて、本実施形態に係る絵本製造方法を説明する。
【００５４】
まず、ユーザＵは、ユーザ端末２を操作して、オリジナル絵本注文サイトにアクセスし、絵本作品を選択する（ステップＳ１）。ユーザＵは、選択した作品について、お絵描きフォーマットのフォーマットデータをダウンロードする（ステップＳ２）。
【００５５】
ユーザＵは、フォーマットデータを用いて、プリンタからお絵描きフォーマット５を出力する。ユーザＵは、お絵描きフォーマット５の説明文５２に従って、描画領域５１に絵を描く。例えば、子供Ｃに絵を描くよう促す。
【００５６】
ユーザＵは、描画領域５１に絵が描かれたお絵描きフォーマット５をユーザ端末２のカメラで撮影し、撮影画像を絵本編集装置１へアップロードする（ステップＳ３）。
【００５７】
絵本編集装置１が、撮影画像から描画領域５１を抽出し、描画領域５１のうち、紙色抽出領域５６と同じ色の部分を透明化又は白色化して手描き画像を取得する（ステップＳ４）。また、絵本編集装置１は、撮影画像の二次元コード５３から識別情報を読み取り、描画領域５１内の手描き画像が、絵本の中のどの絵に対応するか判別する。
【００５８】
絵本編集装置１が、手描き画像と絵本の背景画像とを合成して合成画像を生成し、合成画像を含む絵本データを生成する（ステップＳ５）。
【００５９】
絵本編集装置１は、生成した絵本データと、注文情報とを工場３へ転送する（ステップＳ６）。工場３に設置されたプリンタ及び製本機で印刷・製本処理を行い、絵本４を製造する（ステップＳ７）。
【００６０】
このように、本実施形態によれば、手描きの絵を用いたオリジナルの絵本を簡単に製造できる。また、二次元コード５３や位置合わせマーク５５を含むお絵描きフォーマット５に絵を描くことで、お絵描きフォーマット５の撮影画像から、描画領域５１を容易かつ正確に取り出すことができる。また、紙色抽出領域５６から、お絵描きフォーマット５の用紙の地の色を検出し、描画領域５１のうち、紙色抽出領域５６と同じ色の部分、すなわちユーザが何も描いていない部分を抽出し、透明化又は白色化してから背景画像に合成するため、手描き画像を背景画像に違和感なく自然に入れ込むことができる。
【００６１】
上記実施形態では、ユーザ端末２の内蔵カメラでお絵描きフォーマット５を撮影する例について説明したが、スキャナでお絵描きフォーマット５をスキャンし、スキャン画像をユーザ端末２から絵本編集装置１にアップロードしてもよい。また、コンビニエンスストア等に設置された複合機（コンビニ複合機）でお絵描きフォーマット５をスキャンし、コンビニ複合機から絵本編集装置１にスキャン画像を直接アップロードしてもよい。
【００６２】
また、描画領域５１に絵を描いたお絵描きフォーマット５をサービス提供者へ郵送で送付してもよい。サービス提供者は、送付されたお絵描きフォーマット５をデジタルカメラで撮影するか、又はスキャナで取り込んで、手描き画像を取得する。サービス提供者は、お絵描きフォーマット５の二次元コード５３を読取機で読み取り、識別情報や注文ＩＤを取得することで、他ユーザの注文と混同することなく、お絵描きフォーマット５の描画領域５１内の手描き画像を正しい位置に合成して絵本を製造できる。
【００６３】
手描きの絵だけでなく、手書き文字を含んでいてもよい。
【００６４】
上記実施形態では、お絵描きフォーマット５に、何の絵かを識別する識別情報を示す二次元コードを設ける例について説明したが、二次元コードでなくバーコードでもよいし、識別情報の英数字を記載してもよい。
【００６５】
お絵描きフォーマット５は、フォーマットデータをダウンロードしてプリント出力するだけでなく、雑誌や本の付録等としてユーザが入手するものであってもよい。描画領域５１から線がはみ出して二次元コード５３に重なってしまうことを防止するために、二次元コードを裏面に印刷しておいてもよい。この場合、ユーザは、お絵描きフォーマット５の表面と裏面をユーザ端末２のカメラで撮影して、撮影画像をアップロードする。あるいはまた、二次元コードが印字されたシールを発行し、絵を描いた後にお絵描きフォーマット５に二次元コードシールを貼付するようにしてもよい。
【００６６】
絵本編集装置１が、コンビニ複合機にフォーマットデータを送信し、このコンビニ複合機からお絵描きフォーマット５をプリント出力してもよい。例えば、ユーザは、コンビニ複合機のメニュー画面を操作して絵本作品を選択する。このとき、必要に応じて、コンビニ複合機から支払い用紙がプリント出力され、ユーザはコンビニエンスストアで料金の支払いを行う。コンビニ複合機が絵本編集装置１に選択結果を通知すると、絵本編集装置１が、選択された絵本作品のフォーマットデータをコンビニ複合機へ送信する。
【００６７】
あるいはまた、ユーザがユーザ端末２を用いて絵本作製のウェブサイトにアクセスし、絵本作品を選択し、必要に応じて料金の支払いを行うと、絵本編集装置１が注文ＩＤを発行し、ユーザ端末２に注文ＩＤを通知する。ユーザが、コンビニ複合機のメニュー画面を操作して注文ＩＤを入力すると、コンビニ複合機が注文ＩＤを絵本編集装置１に通知する。絵本編集装置１は、コンビニ複合機から通知された注文ＩＤに対応する絵本作品のフォーマットデータをコンビニ複合機へ送信する。
【００６８】
ユーザは、コンビニ複合機からお絵描きフォーマット５を入手し、自宅に持ち帰り、子供に絵を描かせたり、自分で絵を描いたりする。その後、手描き絵をユーザ端末２の内蔵カメラで撮影したり、コンビニ複合機でスキャンしたりして、アップロードする。このように、絵本編集装置１は、ユーザ端末２やコンビニ複合機等の外部機器と通信を行い、フォーマットデータを送信したり、手描き絵を含む画像を受信したりする。
【００６９】
絵本４に所定のウェブサイトのＵＲＬを示す二次元コードを印字してもよい。絵本４を受け取ったユーザが、二次元コードをユーザ端末２で読み取りウェブサイトにアクセスすると、音声や効果音が出力される。また、公知のＡＲ技術を用いて、手描きしたキャラクターがユーザ端末２の画面上で動くように表示してもよい。
【００７０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７１】
１  絵本編集装置
２  ユーザ端末
３  工場
４  絵本
５  お絵描きフォーマット
１０  制御部
１２  記憶部
１４  通信部
５１  描画領域
５６  紙色抽出領域
１０１  注文処理部
１０２  検索処理部
１０３  フォーマット送信部
１０４  手描き画像取得部
１０５  合成部
１０６  転送部
【図１】
2022001981.tif 000003
【図２】
2022001981.tif 000004
【図３】
2022001981.tif 000005
【図４】
2022001981.tif 000006
【図５】
2022001981.tif 000007
【図６】
2022001981.tif 000008
【図７】
2022001981.tif 000009
【図８】
2022001981.tif 000010
【図９】
2022001981.tif 000011
【図１０】
2022001981.tif 000012
【図１１】
2022001981.tif 000013
【図１２】
2022001981.tif 000014